(57)【要約】【課題】簡易な構成で、自動補給機の種類の違いによる設置位置の違いに多様に対応することができ、これにより、設置作業の負担を軽減した遊技機の支持枠を提供する。【解決手段】本発明の支持枠１は、遊技場の設置面Ｆの任意の位置に位置決めされるものであって、一対の脚部１１、１１と、一対の脚部１１、１１に横設される台座部１２と、を有してなる複数の支持脚１０Ａと、設置テーブル３０と、複数の支持柱４０とを備え、アンカーベース２０に支持されると共に、遊技機Ｐが設置される構成である。【選択図】  図２
2008119308.tif 000002
【特許請求の範囲】
【請求項１】
遊技場の設置面の任意の位置に位置決めされて設置され遊技機を支持する支持枠であって、
前記設置面に支持される一対の脚部及び前記一対の脚部に亘って設けられた台座部を有してなる複数の支持脚と、
前記複数の支持脚の前記台座部に渡し掛けられて設置される設置テーブルと、
前記設置テーブル上に設置される複数の支持柱と、
を備えることを特徴とする遊技機の支持枠。
【請求項２】
前記一対の脚部は、前記遊技機の設置面から前記台座部までの高さを調節する上下機構を備えたことを特徴とする請求項１に記載の遊技機の支持枠。
【請求項３】
前記一対の脚部は、前記遊技場の設置面に設置されたアンカーベースのアンカーボルトに支持され、
前記アンカーベースは、前記一対の脚部に亘って設置されることを特徴とする請求項１または請求項２に記載の遊技機の支持枠。
【発明の詳細な説明】
【技術分野】
【０００１】
本発明は、パチンコ台、スロット台等の遊技機の支持枠に関する。
【背景技術】
【０００２】
一般に、遊技機の支持枠は、遊技場の設置面に植設される複数本の支柱と、遊技機の支持台とを主に有し、支持台に遊技機を設置して、遊技機を下方から支持するとともに、支柱で遊技機を側方から支持している。このような支柱は、遊技機を収めるための所定間隔を空けて、予め位置決めされている。
【０００３】
例えば、特許文献１には、間隔を設けて立設されてなる複数本の支柱と、該複数本の支柱間に横架されてなる横架体とから成り、前記複数本の支柱は前記横架体に沿って水平方向に移動自在とするとともに、この支柱にはパチンコ台やスロットマシン等の遊技機の下端を支持している下支持板を係合する下支持板ブラケットと、前記支柱に沿って上下方向に移動自在に支持され遊技機上端を係合する上支持板を保持する上支持板ブラケットとを配設し、さらに前記上支持板、下支持板をそれぞれ前記上支持板ブラケット、下支持板ブラケットに対して水平方向に移動自在に係合することにより、遊技機の外径寸法変化及び遊技機間の間隔変化に対応し得ることを特徴とする遊技機設置構造体が記載されている。
【０００４】
また、遊技機島には、一つの島に少なくとも一台の自動補給機が設置されている。ここで、自動補給機とは、遊技機に使用される玉やコイン等を扱う装置であって、玉やコイン等を循環させ、各遊技機に振り分けて供給する供給装置と、玉等を研磨する研磨装置と、玉等を溜めておくタンクと、を有して主に構成されている。
【０００５】
このような自動補給機は、遊技機の稼働に支障が生じないよう、玉やコイン等を、適切なタイミングで適量を供給し続ける必要があり、常に円滑に稼働するように、適切な位置への設置が求められる。
一方、自動補給機を構成する各構成要素のサイズや仕様は、メーカ毎に異なるため、自動補給機が設置される適切な位置は、自動補給機のメーカに依存する。このように、遊技機島における自動補給機は、その設置位置が一定でないのが通常であり、自動補給機の設置位置にあわせて、遊技機の支持枠の支柱、特に、支持台より下方部分の支柱の設置位置を変更しなければならない場合がある。
【特許文献１】特開平８−２８０９２４号公報
【発明の開示】
【発明が解決しようとする課題】
【０００６】
しかしながら、特許文献１に示すような遊技機設置構造体においては、遊技機を水平方向に移動できるものの、遊技機を支持する複数本の支柱の位置は固定されていることから、支柱の下部の設置位置を容易に変更することができなかった。
すなわち、従来の遊技機の支持枠にあっては、自動補給機を所定位置に設置するために、予め設置位置付近の支柱の下部を切断しておき、自動補給機を設置したときに邪魔にならない位置に補強部材を入れる等の作業が必要となる場合があった。
このような作業が必要になると、遊技機の支持枠の設置に要する作業時間が増加し、また、複雑な作業であるため、熟練した作業員の確保が必要となる等、負担となっていた。
【０００７】
そこで、本発明は、簡易な構成で、各メーカの自動補給機に多様に対応することができ、これにより、設置作業の負担を軽減した遊技機の支持枠を提供することを課題としている。
【課題を解決するための手段】
【０００８】
本発明の遊技機の支持枠は、遊技場の設置面の任意の位置に位置決めされて設置され遊技機を支持する支持枠であって、前記設置面に支持される一対の脚部及び前記一対の脚部に亘って設けられた台座部を有してなる複数の支持脚と、前記複数の支持脚の前記台座部に渡し掛けられて設置される設置テーブルと、前記設置テーブル上に設置される複数の支持柱と、を備える。
【０００９】
本発明の遊技機の支持枠によれば、支持脚と、支持柱と、設置テーブルと、を分割して設置テーブルの下に支持脚が移動自在に設置できる構成としたことにより、遊技機は、設置テーブル上で支持柱に沿って設置され、支持脚は、自動補給器の設置位置に合わせて、遊技場の設置面の任意位置に位置決めした上で固定することができる。
このため、各メーカの自動補給機に多様に対応させることができる。
【００１０】
また、本発明の遊技機の支持枠において、前記一対の脚部は、前記遊技機の設置面から前記台座部までの高さを調節する上下機構を備えていてもよい。
【００１１】
このように構成した遊技機の支持枠では、一対の脚部に備えられた上下機構により、遊技場の設置面から台座部までの高さを調節することができ、多様な遊技機の種類に対応させることができる。
【００１２】
また、前記遊技機の支持枠において、前記一対の脚部は、前記遊技場の設置面に設置されたアンカーベースのアンカーボルトに支持され、前記アンカーベースは、前記一対の脚部に亘って設置されていてもよい。
このように構成した遊技機の支持枠では、支持脚ごとに設けられたアンカーベースにより、支持脚の設置強度を高くすることができる。
【発明の効果】
【００１３】
本発明に係る遊技機の支持枠は、自動補給機の設置位置やサイズに合わせて支持脚の設置位置を決定することができる。このため、自動補給機の種類の違いによる各構成要素の設置位置やサイズの違いに多様に対応することができ、設置作業の負担を軽減することができる。
また、支持脚の一対の脚部に台座部の上下機構を備え、遊技場の設置面から台座部までの高さを調節することにより、設置テーブルの設置面からの高さを調節することができるので、多様な遊技機の種類に対応させることができる。
また、本発明の遊技機の支持枠は、簡易な構成であるため、設置作業が容易となり、また、部品点数を削減することができる。
また、支持脚ごとにアンカーベースを設けることにより、支持脚の設置強度を高くすることができる。
【発明を実施するための最良の形態】
【００１４】
以下、本発明の実施形態を適宜図面を参照して説明する。
図１は、支持枠を並設して構成される遊技機島の全体を示す斜視図、図２は、支持枠の構成を説明するための斜視図、図３は、支持枠を示す側面図である。
なお、以下の説明において、「左右」とは、支持枠に設置される遊技機の左右方向を指すものとし、「前後」とは、支持枠に設置される遊技機の正面（遊技者側）・背面の方向を指すものとする。
【００１５】
図１に示すように、遊技機島１Ａは、遊技場の設置面Ｆに設置された支持枠１（図２参照）の正面あるいは正面と背面に複数の遊技機Ｐが並設されている。
また、遊技機島１Ａには、遊技機Ｐとしてパチンコ台やスロット台を設置したときに、玉やコインなどを循環させ、遊技機Ｐに供給する自動補給機８０が設置されている。
本実施形態においては、自動補給機８０は、島の中央付近に設置されているが、設置位置はメーカ毎に異なる。
また、自動補給機８０は、研磨装置（図示せず）や、供給装置（図示せず）を備えている構成のものもある。
【００１６】
このような遊技機島１Ａを構成する支持枠１は、図２に示すように、複数の支持脚１０Ａと、設置テーブル３０と、複数の支持柱４０と、を備えており、設置テーブル３０に設置した状態で支持柱４０に沿って遊技機Ｐ（図１参照）が取付けられる。
なお、支持枠１は、図２中に破線で示すように、長手方向に複数並設されるものであり、最小単位は、一台の遊技機Ｐを支持する構成であり、ここでは、支持柱４０、４０の間に支持される遊技機Ｐを前後において４台で一組の単位として説明する。
この支持枠１は、遊技場の設置面Ｆに設置されたアンカーベース２０に支持脚１０Ａが固定され、この支持脚１０Ａの上面に設置テーブル３０が設置・固定された状態で遊技機Ｐを支持する。
以下に、支持枠１の各構成について適宜図面を参照して説明する。
【００１７】
図２に示すように、支持脚１０Ａは、遊技場の設置面Ｆに対し垂直に立設される一対の脚部１１、１１と、この一対の脚部１１、１１に横設される台座部１２と、を有し、設置面Ｆに複数並設される。なお、支持脚１０Ａは、ここでは３つで、前後に配置した２つの設置テーブル３０、３０を支持するように設置されている。
【００１８】
また、一対の脚部１１、１１は、台座部１２の両端から連続し、遊技場の設置面Ｆ側に向かって延びる上脚部１３、１３と、アンカーボルト２２を介してアンカーベース２０に固定される下脚部１４、１４と、上脚部１３、１３と下脚部１４、１４との間に設置される高さ調整部材１５と、を有して構成されることが好ましい。上脚部１３、１３、下脚部１４、１４及び高さ調整部材１５は、それぞれ水平断面形状がコ字状になるように形成されており、コ字状の開口部の内壁がそれぞれ対向するようになっている。なお、上脚部１３、１３、下脚部１４、１４には取付孔（図示せず）が形成され、また、高さ調整部材１５には、支持孔１５ａが形成されている。
なお、一対の脚部１１、１１は、一部材で形成されていてもよい。
【００１９】
なお、ここでは、上脚部１３、１３、下脚部１４、１４及び高さ調整部材１５と、これらを所定位置で支持する支持ボルト１７と、により、特許請求の範囲における上下機構の一例を構成するものとする。
【００２０】
高さ調整部材１５は、例えば、上脚部１３、１３と下脚部１４、１４より小幅の矩形部
材であって、上脚部１３、１３と下脚部１４、１４の内壁に当接して取り付けられる。
この高さ調整部材１５の側面に設けられる複数の支持孔１５ａと上脚部１３、１３の側面と下脚部１４、１４の側面に設けられる複数の取付孔（図示せず）とが対面する位置において、支持ボルト１７において着脱自在に支持されることで一対の脚部１１、１１の高さ位置を調節し、台座部１２を上下させることができる。
【００２１】
下脚部１４、１４は、内壁の下端部にボルト取付面１４Ａ、１４Ａを有し、このボルト取付面１４Ａ、１４Ａにアンカーベース２０の後記するアンカーボルト２２が取り付けられて、遊技場の設置面Ｆに設置される。
【００２２】
上脚部１３、１３は、ここでは、台座部１２と合わせて全体としてコ字状になるように形成されている。
台座部１２は、設置テーブル３０を設置・支持するものであり、設置テーブル３０を固定するための複数の取付孔（例えば、ねじ孔等：図示せず）が形成されている。
【００２３】
ここで、支持脚１０Ａは、支持柱４０及び設置テーブル３０と独立して構成される部材であり、遊技場の設置面Ｆの任意位置に設置することができ、また、設置本数を自由に設定することができる。
すなわち、自動補給機（図示せず）の設置位置に応じて、その邪魔にならない位置に支持脚１０Ａを設置することができる。
また、支持脚１０Ａの幅は、特に限定されるものではなく、遊技機Ｐを支持するのに十分な強度を有するものであれば足り、支持脚１０Ａを設置する場所に必要な強度に合わせて適宜変更することができる。
たとえば、図２に示すように、遊技機島１Ａ（支持枠１）の中央付近に配置される支持脚１０Ａの左右方向の幅を太くすると、この支持脚１０Ａの強度を高くすることができ、周囲に使用する支持脚１０Ａの数を少なくすることができる。
【００２４】
なお、支持脚１０Ａの上脚部１３、１３及び台座部１２は、１枚の金属板を折り曲げ、かつ、溶接するのが望ましいが、各部ごと、すなわち、上脚部１３、１３及び台座部１２ごとに予め作製された金属板を溶接することにより形成してもよい。
【００２５】
アンカーベース２０は、支持脚１０Ａを遊技場の設置面Ｆに設置するためのものであり、金属板状のベース面２１と、ベース面２１から突設するアンカーボルト２２と、を有して構成され、遊技場の設置面Ｆに設置されている。
アンカーベース２０は、支持脚１０Ａの一方の脚部１１から他方の脚部１１までの長さと略同じ長さを有するように形成される。
【００２６】
ベース面２１には、遊技場の設置面Ｆに設置するための取付孔２１ａが設けられている。取付孔２１ａにボルト２４を係合して、螺合・締結されて遊技場の設置面Ｆに設置・固定される。詳しくは、後記する。
【００２７】
アンカーボルト２２は、支持脚１０Ａの一方の下脚部１４のボルト取付面１４Ａと、他方の下脚部１４のボルト取付面１４Ａと対応する位置に設けられており、ベース面２１に対して上方に突設されている。
アンカーボルト２２は、ナット２３と対になっており、ボルト取付面１４Ａ、１４Ａを介してアンカーボルト２２にナット２３が螺合・締結されることにより、アンカーベース２０を遊技場の設置面Ｆに設置・固定することができる。
このように、支持脚１０Ａごとにアンカーベース２０が固定されることにより、支持脚１０Ａの強度を高めることができる。
【００２８】
設置テーブル３０は、遊技機Ｐを支持するためのものであり、長板であって、支持台部３１と、支持台部３１の両側面に立設される側縁部３２と、を備え、支持台部３１が支持脚１０Ａの台座部１２に載置されて設置される。設置テーブル３０は、ここでは、３つの支持脚１０Ａに掛け渡されて設置される。
【００２９】
支持台部３１には、支持脚１０Ａの台座部１２に設けられた取付孔（図示せず）と対応する位置に、ねじ等の締結具を通すための貫通孔（図示せず）が形成されている。
また、支持台部３１には、支持柱４０を固定するための複数の取付孔（例えば、ねじ孔等。図示せず）が、支持柱４０の取付位置にそれぞれ形成されている。
【００３０】
側縁部３２は、設置テーブル３０の側面を構成し、支持台部３１に対して垂直に立ち上がる側縁部３２ａと、支持台部３１に対して、設置面Ｆ方向へ垂直に延びる側縁部３２ｂと、を有してなる。
側縁部３２ａは、後記する膳板７０を位置決めするものであり、膳板７０の側面が当接して膳板７０の前後方向への移動を係止している。
側縁部３２ｂは、後記する腰板７１を設置するためのものであり、腰板７１を設置するための取付孔（図示せず）が適宜設けられている。
【００３１】
支持柱４０は、設置テーブル３０に設置される遊技機Ｐ（図１参照）を側方から支持し、かつ、後記するランプ板６０、幕板６１、天板６２を支持するためのものであり、上部取付部４１と、柱部４２とを備えている。
【００３２】
図２に示すように、柱部４２は、正面板４２ａと側面板４２ｂ、４２ｂとからなり、水平断面形状がコ字状になるように形成されている。この柱部４２は、下端側の側面板４２ｂ及び正面板４２ａに、複数の取付孔（例えば、ねじ孔等。図示せず）が形成されている。
また、柱部４２の正面板４２ａには、設置テーブル固定用部材３３の側面板３３ａに形成された複数の取付孔（例えば、ねじ孔等。図示せず）と対応する位置に複数の取付孔（例えば、ねじ孔など。図示せず）が形成されている。
柱部４２の正面板４２ａの下端部付近には、設置テーブル固定用部材３３が取り付けられている。この設置テーブル固定用部材３３は、側面板３３ａと底面板３３ｂとにより形成されている。
設置テーブル固定用部材３３の底面板３３ｂには、設置テーブル３０の支持台部３１に設けられた取付孔（図示せず）と対応する位置に、ねじ等の締結具を通すための貫通孔（図示せず）が少なくとも１つ以上形成されている。
この設置テーブル固定用部材３３を支持柱４０、４０の柱部４２に取り付けることで、正面板４２ａと設置テーブル３０の支持台部３１との設置面積を大きくすることができ、立設して設置される支持柱４０、４０の耐荷重性や安定性を増すことができる。
【００３３】
また、図２に示すように、正面側の柱部４２と背面側の柱部４２との間に補強板５０を介在させて取り付けてもよい。
このようにすると、支持柱４０の前後方向の揺れ幅を減少させることができ、また、支持柱４０に与えられる衝撃に対する耐久度を高めることができる。
【００３４】
上部取付部４１は、立設して配置される支持柱４０の上部を構成し、後記するランプ板６０と、後記する幕板６１と、後記する天板６２と、を固定するねじ等の締結具を通すための貫通孔（図示せず）が必要個数形成されている。
【００３５】
図３に示すように、上部取付部４１には、ランプ板６０と、幕板６１と、天板６２と、が主に取り付けられる。
ランプ板６０は、遊技機Ｐ側に配置されるものであって、ナンバーランプ等のランプ類（図示せず）が取り付けられる。また、ランプ板６０の内部には、遊技機島（支持枠）１に遊技機Ｐ（図１参照）としてパチンコ台やスロット台を設置したときに、コインや玉等を収納するプラスチック製の箱（いわゆるドル箱）を重ねて収容する収容部等が設けられている。
幕板６１は、ランプ板６０を遮蔽するためのものであって、ランプ板６０を正面側から覆うように取り付けられ、蝶番等で正面方向に開閉自在に軸支されている。
天板６２は、ランプ板６０の上端に配置されてその隙間を遮蔽するものであり、必要に応じて適宜取り付けられる。
【００３６】
遊技機Ｐは、パチンコ台、スロット台、テレビゲーム機等の電気機器であって、設置テーブル３０に設置され、遊技機島（支持枠）１の水平方向に複数並設されている。なお、図面では、スロット台が表示されているが、パチンコ台であっても同様に設置することができる。また、パチンコ台に替えてスロット台を設置する場合には、支持脚１０Ａの高さを調整している。
また、遊技機Ｐの下面部には、支持柱４０の柱部４２に取り付けるための取付孔（図示せず）が複数設けられている。
【００３７】
ここで、支持枠１を構成する他の部材について簡単に説明する。
設置テーブル３０の支持台部３１（図２参照）と、スロット台Ｓ（遊技機）や貸出機Ｋとの間には、膳板７０が設けられている。
膳板７０は、厚さが、例えば約３０ｍｍ程度の木製の板材であり、本実施形態では、図３に示すように、支持枠１の設置テーブル３０に載置されている。膳板７０は、設置テーブル３０の側縁部３２に膳板７０の側面部が当接するように設置されることにより位置決めされている。
また、膳板７０は、支持柱４０の位置に切欠きが設けてあり、設置テーブル３０及び支持台部３１に上方向よりタッピングビス（図示せず）等で固定されている。
【００３８】
図３に示すように、設置テーブル３０の側縁部３２には、設置面Ｆに対して略垂直に立設するように化粧用の腰板７１が取り付けられている。
腰板７１には、設置テーブル３０に設けられた取付孔（図示せず）と対応する位置にねじ等の締結具を通すための貫通孔（図示せず）が少なくとも１つ以上形成されている。
【００３９】
また、支持脚１０Ａの下方、すなわち、遊技者の足元付近には、設置面Ｆに対して略垂直に立設するように隠し板７２が取り付けられている。
【００４０】
このように構成された支持枠１は、従来の支持枠と比較して部品点数が少なく、かつ、支持脚１０Ａと支持柱４０とが分割して構成されており支持脚１０Ａの設置位置を自動補給機の設置位置に合わせて任意に設定することができるため、自動補給機８０の種類に応じて多様な形態に構築することができる。また、各部品が着脱自在であるため、設置（組立作業）や取外し（分解）作業、移動作業、搬入作業等を容易に行うことができる。
【００４１】
以上、説明した構成の支持枠１を遊技場の設置面Ｆに設置してスロット台Ｓを一例として、遊技機島を形成する手順を説明する。参照する図面において、図４Ａ（ａ）〜（ｃ）及び図４Ｂ（ａ）〜（ｃ）は、本発明の支持枠を遊技場の設置面に設置する手順を示す模式図である。
【００４２】
（１）まず、アンカーベース２０を遊技場の設置面Ｆに設置する。遊技場の設置面Ｆには、アンカーベースを設置するための設置穴（図示せず）が設けられており、設置穴には、例えば、雌ねじ部を有するアンカー（図示せず）が埋設されている。ベース面２１に設けられた取付孔２１ａ（図２参照）を設置穴（図示せず）に合致させて、取付孔２１ａ（図２参照）から設置穴（図示せず）を貫通させて、例えば、ボルト２４（図２参照）をアンカーの雌ねじ部に係合させ、締結することにより、アンカーベース２０を遊技場の設置面Ｆに設置・固定する。アンカーベース２０の設置位置は、支持脚１０Ａの設置位置に合わせられている。
【００４３】
次に、図４（ａ）に示すように、支持脚１０Ａを、アンカーベース２０を介して遊技場の設置面Ｆに設置する。
支持脚１０Ａは、ボルト取付面１４Ａ（図２参照）に形成された係合孔（図示せず）にアンカーボルト２２（図２参照）を挿入して、ナット２３（図２参照）を螺合・締結することにより、アンカーベース２０を介して遊技場の設置面Ｆに設置される。
【００４４】
なお、支持脚１０Ａの設置位置は、自由に設定することができる。
図４Ａ（ａ）に示すように、支持脚１０Ａを等間隔で設置してもよいし、破線で示すように、一定でない間隔で設置してもよいし、自動補給機８０の設置位置などによって自由に決定することができる。
また、必ずしも、支持枠１の端部に支持脚１０Ａを設けなくてもよく、破線で示すように、支持枠１の端部よりも内側に設けてもよい。
【００４５】
（２）図４Ａ（ｂ）に示すように、設置テーブル３０を支持脚１０Ａの台座部１２に掛け渡して設置する。そして、支持脚１０Ａの各台座部１２（図２参照）に形成された取付孔（図示せず）と設置テーブル３０の支持台部３１に形成された貫通孔（図示せず）とを合致させて、上方向よりねじ等の締結具（図示せず）で固定する。
【００４６】
（３）図４Ａ（ｃ）に示すように、支持柱４０を設置テーブル３０の支持台部３１（図２参照）に取り付ける。このとき、支持柱４０を支持台部３１の手前側と支持台部３１の奥側とに略同軸上に位置するように取り付ける（図２参照）。そして、支持台部３１に形成された取付孔（図示せず）と設置テーブル固定用部材３３（図２参照）に形成された貫通孔（図示せず）とを合致させて、上方向よりねじ等の締結具（図示せず）で固定する。
【００４７】
（４）図４Ｂ（ａ）に示すように、支持柱４０の上部取付部４１（図２参照）に、ランプ板６０、幕板６１、天板６２などを、ねじ等の締結具（図示せず）により、上部取付部４１（図２参照）に形成された貫通孔（図示せず）に通して固定する。
以上の手順によって、遊技場の設置面Ｆに支持枠１が設置されてその支持枠１を設置スペースに応じて複数設けることで遊技機島１Ａが構成される。
【００４８】
（５）そして、図４Ｂ（ｂ）に示すように、支持枠１の正面側と背面側（図示せず）から、貸出機Ｋが、膳板７０を介して設置テーブル３０に複数設置される。さらに、図４Ｂ（ｃ）に示すように、例えば、スロット台Ｓが、貸出機Ｋに隣接して、膳板７０を介して設置テーブル３０に複数設置される。このとき、スロット台Ｓは、膳板７０を介してそれぞれねじ等の締結具によって固定される。
【００４９】
（６）最後に、ランプ類、自動補給機８０（図１参照）や紙幣搬送機等の電気機器、電源コード等の配線類、飾り等を設置する（図示せず）。
なお、各構成部品同士の固定手段や固定方法は、着脱可能に構成されていれば、以上の説明において述べた手段や方法に限定されるものではない。
【００５０】
このようにして、図２に示す支持枠１にスロット台Ｓが設置されて遊技機島１Ａが完成する。この支持枠１を長手方向に複数並設することにより、図１に示す遊技機島１Ａが完成する。
なお、支持枠１を取外す際には、前記（１）から（６）を逆の手順で実行することにより、簡単に取外すことができる。
【００５１】
以上、説明したように、支持枠１は、支持脚１０Ａと設置テーブル３０とが上下方向に分離可能な構造であるため、支持脚１０Ａの設置位置を自由に設定することができる。したがって、自動補給機８０の各構成要素のサイズや設置位置の違いに容易に対応することができる。
また、支持柱４０と支持脚１０Ａを別体で構成し、加えて、設置テーブル３０を一端側の支持脚１０Ａから他端側の支持脚１０Ａに跨る長さを有する一枚の長板で構成したため、各部材を、設置位置に手順に従って設置していくことにより、遊技機島１Ａが構築される。このため、構成が簡単となり、部品点数を削減することができ、かつ、設置が容易となる。
【００５２】
また、支持枠１を構成する支持柱４０の数や取付位置は、適宜変更が可能である。
よって、設置テーブル３０に設置される遊技機Ｐの配置や貸出機Ｋの配置等を自由に変更することができる。
さらに、前記したように、支持枠１に設置された遊技機Ｐの種類に応じて（例えば、スロット台からパチンコ台への変更などに応じて）支持脚１０Ａの高さを変えるなどにより、多様な支持枠１の形状に対応させることができる。
【００５３】
また、設置する遊技機Ｐの種類はスロット台Ｓに限定されるものではなく、その他の遊技機、例えば、テレビゲーム機（図示せず）等であってもよい。
【００５４】
さらに、全ての支持枠１に同種の遊技機Ｐを設置してもよいし、異種の遊技機Ｐを混在させてもよい。
【００５５】
以上、本発明の一実施形態について説明したが、本発明の実施形態はこれらに限定されるものではない。本発明の他の実施形態について以下に説明する。参照する図面において、図５（ａ）、（ｂ）は、本発明の支持枠に使用される支持脚の他の実施形態をそれぞれ示す斜視図、図６は、本発明の支持枠に使用される支持脚の他の実施形態を示す側面図、図７は、支持脚と設置テーブルが係合する様子を示す部分斜視図である。
なお、すでに説明した部材は、同じ符号を付して説明を省略する。
【００５６】
例えば、図５（ａ）に示すように、コ字状の開口部を外側に向けて外壁側を構成するようにして、ボルト取付面１４Ａ、１４Ａを外側に形成した支持脚１０Ｂとしてもよい。
この場合、支持脚１０Ｂは、例えば、一対の脚部１１、１１及び台座部１２ごとに予め作製された金属板を溶接することにより形成する。
このように構成された支持脚１０Ｂは、ボルト取付面１４Ａ、１４Ａがそれぞれ支持脚１０Ｂの外壁側に形成されているため、アンカーボルト２２を支持脚１０Ｂの外壁側から締めることができる。このため、他の設備が支持脚１０Ｂ付近に設置されている等の場合にもアンカーボルト２２が締めやすくなり、作業効率がよくなる。
【００５７】
また、図５（ｂ）に示すように、支持脚１０Ｃは、台座部１２ａと、側面部を構成し、台座部１２ａから連続し、遊技場の設置面Ｆに向かうにつれて縮径する一対の脚部１１ａ、１１ａと、下面部を構成する下面板１９とにより逆台形状に形成し、下面板１９をアンカーベースに固定することにより、遊技場の設置面Ｆに設置してもよい。
これによれば、遊技場の設置面Ｆに設置したときに、遊技者の足元のスペースを広く確保することができる。
なお、支持脚１０Ｃでは、一対の脚部１１ａ、１１ａは、左右方向に配置されることとなる。
【００５８】
また、図６に示すように、支持脚１０Ｄは、は、設置台９０、９０と設置台９０、９０から連続して、設置台９０、９０に対して直角方向に曲折する上脚部９１、９１と、アンカーボルト２２を介してアンカーベース２０に固定される下脚部１４、１４と、上脚部９１、９１と下脚部１４、１４との間に設置される高さ調整部材１５と、を有し、さらに、設置台９０、９０の間に幅調整部材９２を介在して構成されている。
【００５９】
設置台９０、９０と上脚部９１、９１及び幅調整部材９２は、それぞれ水平断面形状がコ字状になるように形成されている。
この設置台９０、９０と幅調整部材９２とにより、設置テーブル３０及び遊技機Ｐを設置・固定するための台座部９５が構成される。
【００６０】
また、上脚部９１、９１には、一端部に高さ調整部材１５、１５を取り付けるための取付孔（図示せず）が設けられている。
この上脚部９１、９１と下脚部１４、１４と高さ調整部材１５、１５とにより、支持脚１０Ｄの一対の脚部９６、９６が構成される。
なお、ここでは、設置台９０と上脚部９１とが一体として形成されている。
【００６１】
幅調整部材９２は、例えば、設置台９０、９０より小幅の矩形部材であって、設置台９０、９０の内壁に当接して、設置台９０、９０に介在して取り付けられる。
この幅調整部材９２の側面に設けられる複数の支持孔９３と設置台９０、９０の取付孔（図示せず）とが対面する位置において、支持ボルト９４において着脱自在に支持されることで、支持脚１０Ｄの幅を調節することができる。
この支持脚１０Ｄによれば、一対の脚部９６、９６の高さと台座部９５の幅の調節をすることができるため、様々な種類の遊技機、または、自動補給機８０に対応させることができる。
【００６２】
なお、支持脚１０Ｄを使用する場合、アンカーベース２０は、支持脚１０Ｄの幅に合わせた長さを有するように形成される。
【００６３】
また、図７に示すように、設置テーブル３０は、上脚部１３、１３の外側面の一部に凹設した嵌合部１３ｂに設置テーブル３０の内側面から上脚部１３、１３側に突設されたレール３４を嵌合させることにより、台座部１２に設置されるようにしてもよい。
このようにすると、支持脚１０Ａをレール３４に沿ってスライドさせて設置位置を調整することができる。
【００６４】
また、本実施形態において、支持脚１０Ａの一対の脚部１１、１１及び台座部１２は、水平断面形状がコ字状となるように形成されていたが、これに限られず、平板で形成してもよいし、水平断面形状がＬ字状となるように形成してもよい。
なお、支持脚１０Ｂないし支持脚１０Ｄについても同様である。
【図面の簡単な説明】
【００６５】
【図１】支持枠を並設して構成される遊技機島の全体を示す斜視図である。
【図２】支持枠の構成を説明するための斜視図である。
【図３】支持枠を示す側面図である。
【図４Ａ】支持枠を設置する手順を示す模式図である。
【図４Ｂ】支持枠を設置する手順を示す模式図である。
【図５】支持枠に使用される支持脚の他の実施形態を示す斜視図である。
【図６】本発明に係る支持枠に使用される支持脚の他の実施形態を示す側面図である。
【図７】本発明に係る支持脚の他の実施形態であり、設置テーブルが係合する様子を示す部分斜視図である。
【符号の説明】
【００６６】
１      支持枠
１Ａ    遊技機島
１０Ａ    支持脚
１１、１１    一対の脚部
１２          台座部
１３、１３    上脚部
１４、１４    下脚部
１５    高さ調整部材
１５ａ  取付孔
１７    支持ボルト
２０    アンカーベース
２２    アンカーボルト
３０    設置テーブル
４０    支持柱
Ｆ      設置面
Ｐ      遊技機
【図１】
2008119308.tif 000003
【図２】
2008119308.tif 000004
【図３】
2008119308.tif 000005
【図４Ａ】
2008119308.tif 000006
【図４Ｂ】
2008119308.tif 000007
【図５】
2008119308.tif 000008
【図６】
2008119308.tif 000009
【図７】
2008119308.tif 000010